(57)【要約】【課題】モワレのない良好な画像が得られる投射表示装置を提供する。【解決手段】偏光面の異なる光から色分離を行い、各色光を各色光の映像信号に応じた光変調をした後、色合成を行い、更に投射レンズで投射する際、色分離された互いに偏光面の異なる２原色光のうちの第１の光を反射させる一方、第２の光を透過する偏光膜を有する偏光ビームスプリッタ８と、偏光ビームスプリッタ８の偏光膜８１で反射された第１の光を偏光ビームスプリッタ８方向に反射させる反射型液晶素子１０と、偏光ビームスプリッタ８の偏光膜８１を透過した第２の光を偏光ビームスプリッタ８方向に反射させる反射型液晶素子１１と、からなり、偏光ビームスプリッタ８の偏光膜８１と反射型液晶素子１０との間の距離をＬｇ、偏光ビームスプリッタ８の偏光膜８１と反射型液晶素子１１との間の距離をＬｒとするとき、Ｌｒ−Ｌｇ又は、Ｌｇ−Ｌｒの関係を有する。【選択図】      図１
2006145943.tif 000002
【特許請求の範囲】
【請求項１】
不定偏光光から偏光面の異なる３原色光に色分離する色分解光学系と、前記３原色光の各色光の映像信号に応じた光変調を行い、この光変調が行われた各色光の色合成を行う色合成部と、前記色合成部で色合成された色合成光をスクリーンに投射する投射レンズと、を備えた投射表示装置において、
前記色分解光学系で色分離された前記３原色光のうちの互いに偏光面の異なる第１の偏光面を有する第１の光を反射させる一方、第２の偏光面を有する第２の光を透過する偏光膜を有する偏光ビームスプリッタと、
前記偏光ビームスプリッタの偏光膜で反射された前記第１の光を前記第1の光の映像信号に応じて光変調を行って前記偏光ビームスプリッタの第１面方向に反射させる第1の反射型液晶素子と、
前記偏光ビームスプリッタの偏光膜を透過した前記第２の光を前記第２の光の映像信号に応じて光変調を行って前記偏光ビームスプリッタの第２面方向に反射させる第２の反射型液晶素子と、
からなり、
前記投射レンズの光軸上における前記偏光ビームスプリッタの偏光膜と前記第１の反射型液晶素子との間の距離をＬｇ、前記偏光ビームスプリッタの偏光膜と前記第１の反射型液晶素子との間の距離をＬｒとするとき、Ｌｒ、Ｌｇは、Ｌｒ＞Ｌｇ又は、Ｌｇ＜Ｌｒの関係を有することを特徴とする投射表示装置。
【請求項２】
前記第２の光の波長が６５０ｎｍで、|Ｌｒ−Ｌｇ|＝Δｌであるとき、Δｌは、１３μｍ＜Δｌ＜４８μｍの関係を有することを特徴とする請求項１記載の投射表示装置。
【発明の詳細な説明】
【技術分野】
【０００１】
本発明は、反射型の空間光変調素子を用いた投射表示装置に関する。
【背景技術】
【０００２】
従来、投射表示装置として液晶プロジェクタが普及している。この液晶プロジェクタは、照明系光源からの光束を赤・緑・青の３原色に分解して液晶パネルに照射し、液晶パネルをテレビジョン信号やパソコン等からの情報信号に基づいて駆動することで、液晶パネルから光変調された光束を出射し、この光束を合成して投射レンズを介してスクリーンに拡大投射するものであった。
【０００３】
この投射表示装置については、特許文献１に記載されている。
この特許文献１に記載されている投射表示装置について図３を用いて説明する。
図３は、従来の投射型表示装置を示す概略ブロック図である。
図３に示すように、従来の投射型表示装置２１は、不定偏光の白光を出射する光源２と、光源２から出射された白色光を均一化するインテクグレータ光学系３と、このインテクグレータ光学系３から出射する白色光のうち、Ｓ偏光を有する青色光と、Ｓ偏光とは偏光面が９０度異なるＰ偏光を有する緑色光及び赤色光とに分離する第１のカラー偏光子４と、カラー偏光子４で分離されたＰ偏光の緑色光及び赤色光を透過し、Ｓ偏光の青色光を偏光膜５１で反射する第１の偏光ビームスプリッタ５と、第１の偏光ビームスプリッタ５で反射された青色光を偏光膜６１で反射する第２の偏光ビームスプリッタ６と、第１の偏光ビームスプリッタ５を透過したＰ偏光の緑色光及び赤色光のうち、緑色光だけをＰ偏光からＳ偏光に変換し、Ｐ偏光の赤色光と共に出射する第２のカラー偏光子７と、第２のカラー偏光子７から出射されたＳ偏光の緑色光を偏光膜８１で反射し、Ｐ偏光の赤色光を透過する第３の偏光ビームスプリッタ８と、からなる。
【０００４】
更に、第２の偏光ビームスプリッタ６の偏光膜６１で反射されたＰ偏光の青色光を映像信号に応じて光変調した後、Ｐ偏光で反射させる青色光用の反射型液晶素子９と、第３の偏光ビームスプリッタ８の偏光膜８１で反射されたＳ偏光の緑色光を映像信号に応じて光変調した後、Ｐ偏光で反射させる緑色用の反射型液晶素子１０と、第３の偏光ビームスプリッタ８を透過したＰ偏光の赤色光を映像信号に応じて光変調した後、Ｓ偏光で反射させる赤色光用の反射型液晶素子１１と、からなる。
【０００５】
第２の偏光ビームスプリッタ６を透過して青色光用の反射型液晶素子９で反射されたＰ偏光の青色光の偏光面をＳ偏光にする第３のカラー偏光子１２と、緑色用の反射型液晶素子１０で反射され第３の偏光ビームスプリッタ８の偏光膜８１を透過したＰ偏光の緑色光をそのまま出射し、赤色光用の反射型液晶素子１１で反射された後、第３の偏光ビームスプリッタ８の偏光膜８１で反射されたＳ偏光の赤色光の偏光面をＰ偏光に変換して出射する第４のカラー偏光子１３と、からなる。
【０００６】
第４のカラー偏光子１３から出射したＰ偏光の赤色光及び緑色光を透過し、第３のカラー偏光子１２から出射されるＳ偏光の青色光を偏光膜１４１で反射させる第４の偏光ビームスプリッタ１４と、第４の偏光ビームスプリッタ１４から出射する赤色光、緑色光及び青色光の合成光のうち、Ｓ偏光の青色光の偏光面をＰ偏光に変換し、Ｐ偏光の赤色光及び青色光をそのまま透過するλ／４位相板１５と、λ／４位相板１５から出射するＰ偏光の赤色光、緑色光及び青色光の合成光をスクリーンに拡大投射する投射レンズ１６と、からなる。
【０００７】
そして、第１のカラー偏光子４と第１の偏光ビームスプリッタ５とで色成分分離部１７を構成し、第２の偏光ビームスプリッタ６と青色光用の反射型液晶素子９とで第１の分離・合成部１８を構成し、第２のカラー偏光子７と第３の偏光ビームスプリッタ８と緑色光用の反射型液晶素子１０、赤色光用の反射型液晶素子１１とで第２の分離・合成部１９を構成し、第３のカラー偏光子１２と第４の偏光ビームスプリッタ１４と第４のカラー偏光子１３と、λ／４位相板１５とで色成分合成部２０を構成している。
【特許文献１】特開平５−９３８８７号公報
【発明の開示】
【発明が解決しようとする課題】
【０００８】
しかしながら、第２のカラー偏光子７を介して第３の偏光ビームスプリッタ８に入射するＰ偏光の赤色光の一部がその偏光膜８１で反射された後、緑色光用の反射型液晶素子１０で反射されてスクリーンに投射された場合の赤色映像と赤色用の反射型液晶素子１１で反射されてスクリーンに投射された場合の赤色映像との間の干渉によるモワレが生じるといった問題があった。
【０００９】
この問題点について図４を用いて詳細に説明する。
図４は、第３の偏光ビームスプリッタ近傍の拡大図である。
図４に示すように、第２のカラー偏光子７を透過したＰ偏光の赤色光は、第３の偏光ビームスプリッタ８に入射するが、偏光ビームスプリッタの偏光膜の一般的な特性により、第３の偏光ビームスプリッタ８に入射する赤色光の大部分は、赤色光用の反射型液晶素子１１に入射するが、その一部Ｒｓｉは、Ｐ偏光にも関わらず、第３の偏光ビームスプリッタ８の偏光膜８１で反射され、緑色光用の反射型液晶素子１０に入射する。緑色光用の反射型液晶素子１０では、緑色光用の映像信号に応じて光変調するだけであるので、赤色光Ｒｓｏは、光変調を受けずにＰ偏光のまま反射され、第３の偏光ビームスプリッタ８の偏光膜８１を透過して、第４のカラー偏光子１３、第４の偏光ビームスプリッタ１４、λ／４位相板１５、投射レンズ１６を介してスクリーンに到達する。
【００１０】
一方、第３の偏光ビームスプリッタ８の偏光膜８１を透過したＰ偏光の赤色光Ｒｍｉは、赤色光用の反射型液晶素子１１で赤色光用の映像信号に応じて光変調を受けてＳ偏光の赤色光Ｒｍｏとなり、この赤色光Ｒｍｏは、第３の偏光ビームスプリッタ８の偏光膜８１で第４のカラー偏光子１３、第４の偏光ビームスプリッタ１４、λ／４位相板１５、投射レンズ１６を介してスクリーンに到達する。
【００１１】
このため、緑色光用の反射型液晶素子１０で反射されたＰ偏光の赤色光Ｒｓｏと赤色光用の反射型液晶素子１１で反射されたＰ偏光の赤色光Ｒｍｏの映像がスクリーン上で干渉して干渉縞となるモワレを生じるといった問題があった。
これは、緑色光用の反射型液晶素子１０で反射されたＰ偏光の赤色光Ｒｓｏと赤色光用の反射型液晶素子１１で反射されたＰ偏光光の赤色光Ｒｍｏが略同じレベルで暗く、かつ投射レンズ１６の光軸における第３の偏光ビームスプリッタ８の偏光膜８１からの赤色光用の反射型液晶素子１１までの距離Ｌｒと第３の偏光ビームスプリッタ８の偏光膜８１からの緑色用の反射型液晶素子１０までの距離Ｌｇが一致、即ちフォーカスが取れたとき、最も干渉縞が目立つ。
【００１２】
そこで、本発明は、上記のような問題点を解消するためになされたもので、モワレのない良好な画像が得られる投射表示装置を提供することを目的とする。
【課題を解決するための手段】
【００１３】
本願発明における第１の発明は、不定偏光光から偏光面の異なる３原色光に色分離する色分解光学系と、前記３原色光の各色光の映像信号に応じた光変調を行い、この光変調が行われた各色光の色合成を行う色合成部と、前記色合成部で色合成された色合成光をスクリーンに投射する投射レンズと、を備えた投射表示装置において、前記色分解光学系で色分離された前記３原色光のうちの互いに偏光面の異なる第１の偏光面を有する第１の光を反射させる一方、第２の偏光面を有する第２の光を透過する偏光膜を有する偏光ビームスプリッタと、前記偏光ビームスプリッタの偏光膜で反射された前記第１の光を前記第1の光の映像信号に応じて光変調を行って前記偏光ビームスプリッタの第１面方向に反射させる第1の反射型液晶素子と、前記偏光ビームスプリッタの偏光膜を透過した前記第２の光を前記第２の光の映像信号に応じて光変調を行って前記偏光ビームスプリッタの第２面方向に反射させる第２の反射型液晶素子と、からなり、前記投射レンズの光軸上における前記偏光ビームスプリッタの偏光膜と前記第１の反射型液晶素子との間の距離をＬｇ、前記偏光ビームスプリッタの偏光膜と前記第１の反射型液晶素子との間の距離をＬｒとするとき、Ｌｒ、Ｌｇは、Ｌｒ＞Ｌｇ又は、Ｌｇ＜Ｌｒの関係を有することを特徴とする投射表示装置を提供する。
第２の発明は、前記第２の光の波長が６５０ｎｍで、|Ｌｒ−Ｌｇ|＝Δｌであるとき、Δｌは、１３μｍ＜Δｌ＜４８μｍの関係を有することを特徴とする請求項１記載の投射表示装置を提供する。
【発明の効果】
【００１４】
本願発明によれば、前記色分解光学系で色分離された前記３原色光のうちの互いに偏光面の異なる第１の偏光面を有する第１の光を反射させる一方、第２の偏光面を有する第２の光を透過する偏光膜を有する偏光ビームスプリッタと、前記偏光ビームスプリッタの偏光膜で反射された前記第１の光を前記第1の光の映像信号に応じて光変調を行って前記偏光ビームスプリッタの第１面方向に反射させる第1の反射型液晶素子と、前記偏光ビームスプリッタの偏光膜を透過した前記第２の光を前記第２の光の映像信号に応じて光変調を行って前記偏光ビームスプリッタの第２面方向に反射させる第２の反射型液晶素子と、からなり、前記投射レンズの光軸上における前記偏光ビームスプリッタの偏光膜と前記第１の反射型液晶素子との間の距離をＬｇ、前記偏光ビームスプリッタの偏光膜と前記第１の反射型液晶素子との間の距離をＬｒとするとき、Ｌｒ、Ｌｇは、Ｌｒ＞Ｌｇ又は、Ｌｇ＜Ｌｒの関係を有するので、モワレのない良好な画像が得られる投射表示装置を提供する。
【発明を実施するための最良の形態】
【００１５】
以下に本発明の実施形態に係る投射表示装置について図１及び図５を用いて説明する。
従来例と同一符号を用いる場合には、従来と同一構成については同一符号を付し、その説明を省略する。
図１は、本発明の実施形態における投射表示装置を示す概略図である。
図２は、本発明の実施形態における投射表示装置の第３偏光ビームスプリッタ近傍の拡大図である。
【００１６】
本発明の実施形態における投射表示装置１は、従来の投射表示装置において、投射レンズ１６の光軸上での赤色光が赤色光用の反射型液晶素子１１に生じるフォーカス位置と第３の偏光ビームスプリッタ８の偏光膜８１との間の距離をＬｒ、投射レンズ１６の光軸上での緑色光が緑色光用の反射型液晶表示素子１０で生じるフォーカス位置と第３の偏光ビームスプリッタ８の偏光膜８１との間の距離をＬｇとするとき、投射レンズ１６のフォーカス距離が緑色光よりも赤色光の方が長い場合に、Ｌｒ、Ｌｇは、Ｌｒ＞Ｌｇの関係を有するようにしたものであり、それ以外は同様である。
【００１７】
以下に具体的に説明する。
図１に示すように、本発明の実施形態における投射表示装置１は、不定偏光の白色光を出射する光源２と、光源から出射された白色光を均一化するインテクグレータ光学系３と、このインテクグレータ光学系３から出射する白色光のうち、Ｓ偏光の青色光と、Ｓ偏光とは偏光面が９０度異なるＰ偏光の緑色光及び赤色光とに分離する第１のカラー偏光子４と、この第１のカラー偏光子４で分離されたＰ偏光の緑色光及び赤色光を透過し、Ｓ偏光の青色光を偏光膜５１で反射する第１の偏光ビームスプリッタ５と、第１の偏光ビームスプリッタ５の偏光膜５１で反射された青色光を偏光膜６１で反射する第２の偏光ビームスプリッタ６と、第１の偏光ビームスプリッタ５の偏光膜５１を透過したＰ偏光の緑色光及び赤色光のうち、緑色光だけをＰ偏光からＳ偏光に変換し、Ｐ偏光の赤色光と共に出射する第２のカラー偏光子７と、第２のカラー偏光子７から出射されたＳ偏光の緑色光を偏光膜８１で反射し、Ｐ偏光の赤色光を透過する第３の偏光ビームスプリッタ８と、からなる。
【００１８】
更に、第２の偏光ビームスプリッタ６の偏光膜６１で反射されたＳ偏光の青色光を映像信号に応じて光変調した後、Ｐ偏光で反射させる青色光用の反射型液晶素子９と、第３の偏光ビームスプリッタ８の偏光膜８１で反射されたＳ偏光の緑色光を映像信号に応じて光変調した後、Ｐ偏光で反射させる緑色光用の反射型液晶素子１０と、第３の偏光ビームスプリッタ８を透過したＰ偏光の赤色光を映像信号に応じて光変調した後、Ｓ偏光で反射させる赤色光用の反射型液晶素子１１と、からなる。
【００１９】
第２の偏光ビームスプリッタ６で反射され青色光用の反射型液晶素子９で映像信号に応じて光変調した後、反射されたＰ偏光の青色光の偏光面をＳ偏光にする第３のカラー偏光子１２と、緑色光用の反射型液晶素子１０で映像信号に応じて光変調した後、反射された第３の偏光ビームスプリッタ８の偏光膜８１を透過したＰ偏光の緑色光をそのまま出射し、赤色光用の反射型液晶素子１１で映像信号に応じて光変調した後反射された第３の偏光ビームスプリッタ８で反射されたＳ偏光の赤色光の偏光面をＰ偏光に変換して出射する第４のカラー偏光子１３と、からなる。
【００２０】
第３の偏光ビームスプリッタ８、緑色光用の反射型液晶素子１０及び赤色光用の反射型液晶素子１１は、以下の関係を有して配置されている。
投射レンズ１６の光軸上での赤色光が赤色光用の反射型液晶素子１１に生じるフォーカス位置と第３の偏光ビームスプリッタ８の偏光膜８１との間の距離をＬｒ、投射レンズ１６から見た時の光軸上での緑色光が緑色光用の反射型液晶表示素子１０で生じるフォーカス位置と第３の偏光ビームスプリッタ８の偏光膜８１との間の距離をＬｇとするとき、投射レンズ１６のフォーカス距離が緑色光よりも赤色光の方が長い場合に、ＬｒとＬｇは、Ｌｒ＞Ｌｇとなる関係にある。
【００２１】
第４のカラー偏光子１３から出射したＰ偏光の赤色光及び緑色光を透過し、第３のカラー偏光子１２から出射されるＳ偏光の青色光を反射させる第４の偏光ビームスプリッタ１４と、第４の偏光ビームスプリッタ１４から出射する赤色光、緑色光及び青色光の合成光のうち、Ｓ偏光の青色光の偏光面をＰ偏光に変換し、Ｐ偏光の赤色光及び青色光をそのまま透過するλ／４位相板１５と、λ／４位相板１５から出射するＰ偏光の赤色光、緑色光及び青色光の合成光をスクリーンに拡大投射する投射レンズ１６と、からなる。
【００２２】
そして、第１のカラー偏光子４と第１の偏光ビームスプリッタ５とで色成分分離部１７を構成し、第２の偏光ビームスプリッタ６と青色光用の反射型液晶素子９とで第１の分離・合成部１８を構成し、第２のカラー偏光子７、第３の偏光ビームスプリッタ８、緑色光用の反射型液晶素子１０及び赤色光用の反射型液晶素子１１で第２の分離・合成部１９を構成し、第３のカラー偏光子１２、第４の偏光ビームスプリッタ１４、第４のカラー偏光子１３及びλ／４位相板１５で色成分合成部２０を構成している。
【００２３】
ここで、第３の偏光ビームスプリッタ８、緑色光用の反射型液晶素子１０及び赤色光用の反射型液晶素子１１の配置は、Ｌｒ＞Ｌｇの関係を満たすように配置されている理由について図２を用いて説明する。
Ｌｒ＝Ｌｇの時は、緑色光用の反射型液晶素子１０で反射され、第３の偏光ビームスプリッタ８の偏光膜８１を透過したＰ偏光の赤色光と赤色光用の反射型液晶素子で反射され、第３の偏光ビームスプリッタ８の偏光膜８１で反射されたＰ偏光の赤色光との光路長が等しくなるので、干渉するため、モアレを生じる。Ｌｒ≠Ｌｇとすればよいが、緑色光用の反射型液晶素子１０或いは、赤色光用の反射型液晶素子１１が投射レンズ１６のフォーカス位置からずれすぎた場合には、スクリーン上での映像にボケを生じるので、できるだけフォーカス位置から遠ざからない位置でＬｒ≠Ｌｇとする必要がある。
【００２４】
図２に示すように、投射レンズ１６のフォーカス位置は、投射レンズ１６が有する色収差によって異なるが、本発明の実施形態では、Ｌｒ＞Ｌｇの場合について考える。
ＬｒがＬｇよりも赤色光の波長の２０倍以上大きい場合には、モアレを生じないことが実験的にわかっている。このため、赤色光の波長を６５０ｎｍの時には、Ｌｒは、Ｌｇよりも１３μｍ以上大きければモアレの発生を防止できる。
また、像面深度ｄは、ボケ量をσ、投射レンズのナンバーをＦとするとき、
ｄ＝σＦの関係を有するので、ボケ量σが１２μｍ、Ｆが４である場合には、像面深度ｄは、４８μｍとなる。
この結果、|Ｌｒ−Ｌｇ|＝Δｌとするとき、焦点の外側方向（赤色光用の反射型液晶素子１１が第３の偏光ビームスプリッタ８から遠ざかる方向）に１３μｍ＜Δｌ＜４８μｍの関係を有する場合には、投射レンズ１６の焦点深度内にあって、かつスクリーン上でのモアレの発生を防止することができる。
【００２５】
次に、その作用について説明する。
光源２から出射された不定偏光の白色光をインテクグレータ光学系３で均一化させた後、第1のカラー偏光子４により、Ｓ偏光の青色光とＰ偏光の緑色光及び赤色光とに分離し、第１の偏光ビームスプリッタ５に入射させる。
第1の偏光ビームスプリッタ５の偏光膜５１でＳ偏光の青色光を反射させ、Ｐ偏光の緑色光と赤色光を透過させた後、Ｓ偏光の青色光を第２の偏光ビームスプリッタ６の偏光膜６１で反射させる
一方、第１の偏光ビームスプリッタ５の偏光膜５１を透過したＰ偏光の緑色光と赤色光のうち、第２のカラー偏光子７でＰ偏光の赤色光をそのまま透過し、緑色光をＰ偏光からＳ偏光にして透過させ、第３の偏光ビームスプリッタ８に入射させる。
【００２６】
第２の偏光ビームスプリッタ６の偏光膜６１で反射させたＳ偏光の青色光を青色光用の反射型液晶素子９で青色光に応じた映像信号で光変調してＰ偏光にした後、反射させ第２の偏光ビームスプリッタ６を透過させ第３のカラー偏光子１２に入射させる。
一方、Ｓ偏光の緑色光は、第３の偏光ビームスプリッタ８の偏光膜８１で反射させ、緑色光用の反射型液晶素子１０側に出射させる。
緑色光用の反射型液晶素子１０で緑色光用の映像信号に応じて光変調してＳ偏光に変換した後、反射させ、第３の偏光ビームスプリッタ８の偏光膜８１を透過させ、第４のカラー偏光子１３に入射させる。
【００２７】
Ｐ偏光の赤色光は、第３の偏光ビームスプリッタ８の偏光膜８１をそのまま透過させ、赤色光用の反射型液晶素子１１で赤色光用の映像信号に応じて反射型液晶素子１１でＳ偏光に光変調した後、反射させ、第３の偏光ビームスプリッタ８の偏光膜８１で反射させて、第４のカラー偏光子１３に入射させる。
第４のカラー偏光子１３では、赤色光をＳ偏光からＰ偏光に変換して透過させ、Ｐ偏光の緑色光をそのまま透過させ、第４の偏光ビームスプリッタ１４に入射させる。
【００２８】
第４の偏光ビームスプリッタ１４では、Ｓ偏光の青色光を反射させ、Ｐ偏光の緑色光及び赤色光をそのまま透過させて、λ／４位相板１５に入射させる。
λ／４位相板１５では、青色光のＳ偏光をＰ偏光に変換して円偏光に変換して透過させ、Ｐ偏光の緑色光及び赤色光を円偏光にして透過させる。投射レンズ１６では、Ｐ偏光となった青色光、緑色光及び赤色光の画像をスクリーンに拡大投射する。
【００２９】
以上のように、本発明の実施形態によれば、投射レンズ１６の光軸上での赤色光が赤色光用の反射型液晶素子１１に生じるフォーカス位置と第３の偏光ビームスプリッタ８の偏光膜８１との間の距離をＬｒ、投射レンズ１６から見た時の光軸上での緑色光が緑色光用の反射型液晶表示素子１０で生じるフォーカス位置と第３の偏光ビームスプリッタ８の偏光膜８１との間の距離をＬｇとするとき、投射レンズ１６のフォーカス距離が緑色光よりも赤色光の方が長い場合に、ＬｒとＬｇは、Ｌｒ＞Ｌｇとなる関係にあるので、投射レンズ１６の焦点深度内にあって、かつスクリーン上でのモアレの発生を防止することができる。
【００３０】
前述したように、投射レンズ１６のフォーカス位置は、投射レンズ１６が有する色収差によって異なるため、本発明の実施形態では、Ｌｒ＞Ｌｇとしたが、投射レンズのフォーカス距離が赤色光よりも緑色光の方が長い場合には、Ｌｒ＜Ｌｇである。この場合には、焦点の内側方向（赤色光用の反射型液晶素子１１が第３の偏光ビームスプリッタ８側に近づく方向）に１３μｍ＜Δｌ＜４８μｍの関係を有することにより、実施形態と同様に投射レンズ１６の焦点深度内にあって、かつスクリーン上でのモアレの発生を防止することができる。
以上では、赤色光により生じるモワレに関して説明したが、Ｐ偏光を偏光ビームスプリッタに入射させて直交出射する双方に反射型液晶素子があれば、全ての色光で発生し得るためこれに限定されるものではない。
【図面の簡単な説明】
【００３１】
【図１】本発明の実施形態における投射表示装置を示す概略図である。
【図２】本発明の実施形態における投射表示装置の第３偏光ビームスプリッタ近傍の拡大図である。
【図３】従来の投射型表示装置を示す概略ブロック図である。
【図４】第３の偏光ビームスプリッタ近傍の拡大図である。
【符号の説明】
【００３２】
１…投射表示装置、２…光源、３…インテクグレータ光学系、４…第1のカラー偏光子、５…第１の偏光ビームスプリッタ、６…第２の偏光ビームスプリッタ、７…第２のカラー偏光子、８…第３の偏光ビームスプリッタ、９…青色光用の反射型液晶素子、１０…緑色光用の反射型液晶素子、１１…赤色光用の反射型液晶素子、１２…第３のカラー偏光子、１３…第４のカラー偏光子、１４…第４の偏光ビームスプリッタ、１５…λ／４位相板、１６…投射レンズ、１７…色成分分離部、１８…第１の分離・合成部、１９…第２の分離・合成部、２０…色成分合成部、５１、６１、８１、１４１…偏光膜
【図１】
2006145943.tif 000003
【図２】
2006145943.tif 000004
【図３】
2006145943.tif 000005
【図４】
2006145943.tif 000006